(57)【要約】【課題】ビニールハウス等のシート材を係止するシート材留め条材を利用して、ビニールハウスの開閉部分等の隙間を閉塞することが可能にする隙間閉塞具の提供。【解決手段】シート材留め条材１４に形成された溝部１４ａ内においてシート材１２を止着する隙間閉塞具１であって、シート材留め条材１４の溝部１４ａ内に拡開自在に整合され、拡開により溝部１４ａ内に抜け止め状態に係合されるストッパー本体２と、シート材留め条材１４の溝部１４ａ内から突出して、対面側に配置された対象物１９に当接するようにストッパー本体２の長手方向に沿って立設された軟質材からなるブレード部材３とを有する。【選択図】図７
2015012813.tif 000002
【特許請求の範囲】
【請求項１】
シート材の一部が挿入されて係止されるシート材留め条材に形成された溝部内に装着され、対面側に配置された対象物との隙間を閉塞する隙間閉塞具であって、
前記シート材留め条材の溝部内に拡開自在に整合され、拡開により前記溝部内に抜け止め状態に係合されるストッパー本体と、
前記シート材留め条材の溝部内から突出して、前記対面側に配置された対象物に当接するように前記ストッパー本体の長手方向に沿って立設された軟質材からなるブレード部材と
を有する隙間閉塞具。
【請求項２】
前記ブレード部材は、前記ストッパー本体の幅方向に湾曲させたものである請求項１記載の隙間閉塞具。
【請求項３】
前記ブレード部材は、前記ストッパー本体の幅方向の中心より前記湾曲させた方向にオフセットした位置に立設されたものである請求項２記載の隙間閉塞具。
【発明の詳細な説明】
【技術分野】
【０００１】
本発明は、ビニールハウス等のシート材が挿入されて係止されるシート材留め条材に装着され、対面側に配置された対象物との隙間を閉塞する隙間閉塞具に関する。
【背景技術】
【０００２】
一般にビニールハウスは、複数のパイプ状骨材間に樹脂フィルムからなるシート材を張設して形成されている。従来、このシート材を適宜箇所で止着するために、骨材間にシート材留め条材を架設して、このシート材留め条材に形成された溝部内にシート材の一部を挿入し、この溝部内においてシート材の上から例えば波状のスプリング材を配設することにより、シート材をシート材留め条材に係止している（例えば、特許文献１参照。）。
【０００３】
また、一般的にビニールハウスでは、その妻面に矩形の出入口が設けられているが、ビニールハウス内で栽培する農作物や飼育する畜産物等に適した環境を維持するため、この出入口には、複数の枠部材を例えば「目」字状に接続してなるドア枠をビニールシートで覆ったドアが、レールをスライドすることによって開閉自在に配設してある（例えば、特許文献２参照。）。
【先行技術文献】
【特許文献】
【０００４】
【特許文献１】特開２００５−１２４５２６号公報
【特許文献２】特開２００６−２９６２５０号公報
【発明の概要】
【発明が解決しようとする課題】
【０００５】
ところが、このように開閉自在に配設されているドアとビニールハウス本体との間には、ドアを開閉自在にするために隙間が設けられており、この隙間からビニールハウス内に外気が浸入してしまい、ビニールハウス内の環境を変えてしまうという問題がある。また、ドア以外の例えば天窓や換気窓などの開閉部分も同様である。
【０００６】
そこで、本発明においては、ビニールハウス等のシート材を係止するシート材留め条材を利用して、ビニールハウスの開閉部分等の隙間を閉塞することを可能にする隙間閉塞具を提供することを目的とする。
【課題を解決するための手段】
【０００７】
本発明の隙間閉塞具は、シート材の一部が挿入されて係止されるシート材留め条材に形成された溝部内に装着され、対面側に配置された対象物との隙間を閉塞する隙間閉塞具であって、シート材留め条材の溝部内に拡開自在に整合され、拡開により溝部内に抜け止め状態に係合されるストッパー本体と、シート材留め条材の溝部内から突出して、対面側に配置された対象物に当接するようにストッパー本体の長手方向に沿って立設された軟質材からなるブレード部材とを有するものである。
【０００８】
本発明の隙間閉塞具によれば、ドア、天窓や換気窓などの開閉部分の枠部材として使用されたシート材留め条材の溝部にシート材の一部が挿入されて係止された状態で、その上から溝部内にストッパー本体を挿入し、ストッパー本体を拡開すると、ブレード部材がシート材留め条材の溝部内から突出した状態で、ストッパー本体が溝部内に抜け止め状態に係合される。そして、このシート材止め条材の溝部内から突出した軟質材からなるブレード部材は、対面側に配置された対象物と当接し、対象物との隙間を閉塞するとともに、緩衝材としても機能する。
【０００９】
ここで、ブレード部材は、ストッパー本体の幅方向に湾曲させたものであることが望ましい。これにより、ブレード部材が湾曲させた側に撓みやすくなるので、ブレード部材が対面側に配置された対象物と当接する際の衝撃が和らげられる。
【００１０】
また、このブレード部材は、ストッパー本体の幅方向の中心より湾曲させた方向にオフセットした位置に立設されたものであることが望ましい。これにより、ブレード部材が撓む方向のシート材留め条材の溝部の端部までの距離が短くなり、立設するブレード部材の高さを短くしても、ブレード部材が撓んだ際にシート材留め条材の溝部の端部に覆い被さるようにすることが可能となる。また、ブレード部材が接触する対象物の位置によってはオフセットした方向を入れ替えて対応することが可能となる。
【発明の効果】
【００１１】
（１）シート材留め条材の溝部内に拡開自在に整合され、拡開により溝部内に抜け止め状態に係合されるストッパー本体と、シート材留め条材の溝部内から突出して、対面側に配置された対象物に当接するようにストッパー本体の長手方向に沿って立設された軟質材からなるブレード部材とを有する隙間閉塞具によれば、ビニールハウスの開閉部分等の対象物との隙間を閉塞することができるので、外気等の浸入によりビニールハウス内の環境が変化するのを防止することが可能となる。また、軟質材からなるブレード部材が緩衝材としても機能するため、対象物を疵付けてしまうことを防止することができる。
【００１２】
（２）ブレード部材がストッパー本体の幅方向に湾曲させたものであることにより、ブレード部材が対面側に配置された対象物と当接する際の衝撃が和らげられ、対象物をより疵付けにくくなる。
【００１３】
（３）ブレード部材がストッパー本体の幅方向の中心より湾曲させた方向にオフセットした位置に立設されたものであることにより、立設するブレード部材の高さを短くしても、ブレード部材が撓んだ際にシート材留め条材の溝部の端部に覆い被さるようにすることが可能となり、対象物とシート材留め条材の溝部とが直接接触するのを防止することが可能となる。また、ブレード部材が接触する対象物の位置によってはオフセットした方向を入れ替えて対応することが可能となる。
【図面の簡単な説明】
【００１４】
【図１】本発明の実施の形態におけるビニールハウスの一部を示す斜視図である。
【図２】シート材の取り付け状態を示す説明図である。
【図３】本発明の実施の形態における隙間閉塞具の斜視図である。
【図４】図３の隙間閉塞具の正面図である。
【図５】図３の隙間閉塞具の分解斜視図である。
【図６】図３の隙間閉塞具の使用方法を示す断面図である。
【図７】出入口の断面図である。
【図８】換気用開口部の断面図である。
【発明を実施するための形態】
【００１５】
図１は本発明の実施の形態におけるビニールハウスの一部を示す斜視図、図２はシート材の取り付け状態を示す説明図、図３は本発明の実施の形態における隙間閉塞具の斜視図、図４は正面図、図５は図３の隙間閉塞具の分解斜視図、図６は図３の隙間閉塞具の使用方法を示す断面図である。
【００１６】
図１において、本発明の実施の形態におけるビニールハウス１０は、アーチ状または山形状に形成された複数のパイプ状骨材１１ａをビニールハウス１０の長手方向に適宜間隔を置いて立設し、これらパイプ状骨材１１ａの上をシート材１２で覆って蒲鉾状の屋根部１３を形成したものである。パイプ状骨材１１ａは、ビニールハウス１０の長手方向へ配設した複数条のパイプ状骨材１１ｂに連結固定されている。
【００１７】
また、パイプ状骨材１１ａ，１１ｂにはそれぞれシート材留め条材１４が適宜架設されており、図２に示すように、このシート材止め条材１４に形成された溝部１４ａ内にシート材１２の一部が挿入され、この溝部１４ａ内においてシート材１２の上から例えば波状のスプリング材１５が配設されることにより、シート材１２はシート材留め条材１４に係止されている。
【００１８】
また、図１に示すように、ビニールハウス１０の妻面には矩形の出入口１６が設けられており、この出入口１６には、複数の枠部材を「目」字状に接続してなるドア枠をシート材１２で覆ったドア１７が、レール（図示せず。）をスライドすることによって開閉自在に配設されている。
【００１９】
また、屋根部１３の適宜箇所には、換気用開口部１８がビニールハウス１０の長手方向に沿って設けられている。換気用開口部１８は、この換気用開口部１８よりも広い換気用シート材１９によって開閉可能に覆われている。換気用シート材１９の上縁部は、換気用開口部１８近傍のパイプに固定具（図示せず。）を用いて固定されており、換気用シート材１９の下縁部は、ビニールハウス１０の長手方向へ配した巻取軸２０に固定具（図示せず。）を用いて固定されている。
【００２０】
巻取軸２０の一端側は、ビニールハウス１０の妻面から所要長さだけ延出しており、この一端側は、ビニールハウス１０の一方の妻面近傍に設けられた換気用シート材１９の巻取機２１の回転出力軸（図示せず。）に嵌合固定されている。この回転出力軸は、操作ロッド２２を回転操作することによって回転駆動力が与えられ、換気用シート材１９を巻取軸２０に巻き取りまたは巻き戻しして、換気用開口部１８を開閉する。
【００２１】
また、本実施形態におけるビニールハウス１０では、上記ドア１７および換気用開口部１８の枠部材として使用されたシート材留め条材１４の溝部１４ａに、図３〜図６に示すように、波状のスプリング材１５によって係止されたシート材１２の上から隙間閉塞具１が取り付けられる。
【００２２】
シート材留め条材１４は、例えば、押し出し成形、ロールフォーミング成形やベンダー成形等により製造されたアルミニウム製やスチール製等の金属製である。シート材留め条材１４は、帯状の底壁部１４ｂと、この底壁部１４ｂの幅方向（長手方向に対して直角方向）の両端部にそれぞれ立設された側壁部１４ｃとによって、断面蟻溝状の溝部１４ａが形成されている。この溝部１４ａの開口部１４ｄは、底壁部１４ｂよりも幅狭となっている。溝部１４ａには、シート材１２の一部が挿入されて波状のスプリング材１５によって係止されている。
【００２３】
隙間閉塞具１は、シート材留め条材１４の溝部１４ａ内に拡開自在に整合され、拡開により溝部１４ａ内に抜け止め状態に係合されるストッパー本体２と、ストッパー本体２の長手方向に沿って立設されたブレード部材３とから構成されている。ストッパー本体２は、ポリ塩化ビニル（ＰＶＣ）、ポリオレフィン（ＰＯ）、ポリエチレン、ポリプロピレンやポリブテンなどの可撓性素材により成型されている。
【００２４】
ストッパー本体２は、シート材留め条材１４の溝部１４ａ内に対し幅方向に拡開自在に形成された屈曲部２ａ，２ｂと、一方の屈曲部２ａの上面に長手方向に延設された隆条部２ｃと、他方の屈曲部２ｂの上面に長手方向に延設され、屈曲部２ａ，２ｂが拡開した際に隆条部２ｃと圧接嵌合して屈曲部２ａ，２ｂを拡開状態でロックするロック部２ｄとを有する。
【００２５】
屈曲部２ａ，２ｂは、長手方向に延設されたものであり、折曲可能に成形されている。また、屈曲部２ａ，２ｂの遊端側は、シート材１２を疵付けないように曲面処理が施されている。隆条部２ｃの上部には、ロック部２ｄの係止溝２ｅに係合する係合突起２ｆが形成されている。
【００２６】
また、ロック部２ｄの外縁には、外方に向けて突出する掛止片２ｇが長手方向に延設されている。ブレード部材３は、ポリ塩化ビニル（ＰＶＣ）などの軟質材からなり、掛止片２ｇの上面に、ストッパー本体２の幅方向の一方に湾曲させて立設されている。すなわち、ブレード部材３は、ストッパー本体２の幅方向の中心より湾曲した方向にオフセットした位置に立設されている。ブレード部材３は、ストッパー本体２がシート材留め条材１４の溝部１４ａ内に係合された際にこの溝部１４ａ内から突出するように設けられている。
【００２７】
上記構成の隙間閉塞具１は、シート材留め条材１４の溝部１４ａの開口部１４ｄにシート材１２の一部が挿入され、波状のスプリング材１５によって係止された状態で、この上から隙間閉塞具１のストッパー本体２の屈曲部２ａ，２ｂを折り曲げた状態で宛てがい（図６（ａ）参照。）、手で押し込むと、屈曲部２ａ，２ｂは拡開していく（図６（ｂ）参照。）。さらに、この隙間閉塞具１を手で押し込むと、屈曲部２ａ，２ｂは水平になるべく拡開し、溝部１４ａ内に抜け止め状態に係合されると同時に、隆条部２ｃの係合突起２ｆがロック部２ｄの係止溝２ｅに係合し、隆条部２ｃとロック部２ｄとが圧接嵌合してロックされる（図６（ｃ）参照。）。
【００２８】
このように、上記構成の隙間閉塞具１は、シート材留め条材１４の溝部１４ａ内に手で押し込むだけで簡単に固定することが可能である。一方、隙間閉塞具１を取り外す際には、ブレード部材３を手指で摘まみ、手前に引き上げるだけで、隆条部２ｃの係合突起２ｆの係合が解かれ、屈曲部２ａ，２ｂが折り曲がって、ストッパー本体２がシート材留め条材１４の溝部１４ａから外れるので、簡単にシート材１２を取り外すことが可能である。
【００２９】
また、上記構成の隙間閉塞具１は、シート材留め条材１４の溝部１４ａ内に止着した状態で、軟質材からなるブレード部材３がシート材留め条材１４の溝部１４ａ内から突出した状態となる。
【００３０】
図７は出入口１６の断面図である。図７に示すように、出入口１６のドア１７の枠部材として使用されたシート材留め条材１４の溝部１４ａ内に、隙間閉塞具１を装着すると、軟質材からなるブレード部材３が撓んで、対面側に配置された支柱等の対象物１９と当接し、対象物１９との隙間１９ａを閉塞するので、この隙間１９ａからビニールハウス１内に外気が浸入するのを防止することができる。
【００３１】
また、この隙間閉塞具１は、図７に二点鎖線で示すように、対面側に配置された対象物１９の位置によっては、隙間閉塞具１の向きを逆にすることでブレード部材３のオフセットした方向を入れ替えて取り付けた方が良い。これにより、対面側に配置された対象物１９の配置に応じて、隙間閉塞具１の向きを変えるだけで対応することが可能となる。
【００３２】
また、図８は換気用開口部１８の断面図である。図８に示すように、換気用開口部１８の枠部材として使用されたシート材留め条材１４の溝部１４ａ内に、隙間閉塞具１を装着すると、シート材留め条材１４に係止されたシート材１２と巻取軸２０に巻かれる換気用シート材１９との間にブレード部材３が介在し、緩衝材として機能するので、これらが直接接触することが防止され、互いに疵付け合うことを防止することが可能である。また、このブレード部材３はシート材１２と換気用シート材１９との間の隙間を閉塞するので、外気等の浸入も防止する。
【産業上の利用可能性】
【００３３】
本発明のシート材留め具は、ビニールハウス等のシート材をシート材留め具に止着するものとして有用である。
【符号の説明】
【００３４】
１  隙間閉塞具
２  ストッパー本体
２ａ，２ｂ  屈曲部
２ｃ  隆条部
２ｄ  ロック部
２ｅ  係止溝
２ｆ  係合突起
３  ブレード部材
１０  ビニールハウス
１１ａ，１１ｂ  パイプ状骨材
１２  シート材
１３  屋根部
１４  シート材留め条材
１４ａ  溝部
１４ｂ  底壁部
１４ｃ  側壁部
１４ｄ  開口部
１５  スプリング材
１６  出入口
１７  ドア
１８  換気用開口部
１９  換気用シート材
２０  巻取軸
【図１】
2015012813.tif 000003
【図２】
2015012813.tif 000004
【図３】
2015012813.tif 000005
【図４】
2015012813.tif 000006
【図５】
2015012813.tif 000007
【図６】
2015012813.tif 000008
【図７】
2015012813.tif 000009
【図８】
2015012813.tif 000010